(57)【要約】【課題】現金管理装置に収納されている媒体処理ユニットを操作する作業者の作業状況をより正確に把握することが可能な技術を提供する。【解決手段】媒体を処理する媒体処理ユニットが内部に収納された筐体と、媒体処理ユニットを操作する作業者を撮影することが可能なカメラ３０を筐体に固定するための固定台２０と、を備える、現金管理装置１０が提供される。【選択図】図２
2015228157.tif 000002
【特許請求の範囲】
【請求項１】
媒体を処理する媒体処理ユニットが内部に収納された筐体と、
前記媒体処理ユニットを操作する作業者を撮影することが可能なカメラを前記筐体に固定するための固定台と、
を備える、現金管理装置。
【請求項２】
前記固定台は、前記筐体に対して着脱可能に構成される、
請求項１に記載の現金管理装置。
【請求項３】
前記カメラは、前記固定台に対して着脱可能に構成される、
請求項１に記載の現金管理装置。
【請求項４】
前記固定台は、前記カメラによる撮影方向を所定の方向に固定するためのホルダ部を備える、
請求項１に記載の現金管理装置。
【請求項５】
前記現金管理装置は、前記カメラを前記固定台に取り付けるように促すガイダンスを表示部に表示させる制御部を備える、
請求項１に記載の現金管理装置。
【請求項６】
前記現金管理装置は、前記カメラが前記固定台に取り付けられた旨が検出された場合に、前記筐体に設けられた扉部を解錠する制御部を備える、
請求項１に記載の現金管理装置。
【請求項７】
前記現金管理装置は、前記カメラによる撮影時間が閾値を超えた場合に、その旨を所定の監視装置に通知する制御部を備える、
請求項１に記載の現金管理装置。
【請求項８】
前記現金管理装置は、前記カメラによる撮影によって得られた画像の解析結果が所定の状態を示す場合に、その旨を所定の監視装置に通知する制御部を備える、
請求項１に記載の現金管理装置。
【請求項９】
前記媒体処理ユニットは、紙幣処理ユニットおよび硬貨処理ユニットのうち、少なくとも何れか一つを含む、
請求項１に記載の現金管理装置。
【請求項１０】
前記カメラは、撮影によって得られた静止画または動画を、記録媒体に記録するとともに所定の監視装置に送信する、
請求項１に記載の現金管理装置。
【発明の詳細な説明】
【技術分野】
【０００１】
本発明は、現金管理装置に関するものである。
【背景技術】
【０００２】
昨今、紙幣または硬貨などの現金を管理する装置（以下、「現金管理装置」とも言う。）が普及している。現金管理装置の例としては、金融機関、小売店、営業店などの受付窓口員などのオペレータによる操作に基づいて現金の取引を実行する職員操作型端末などが挙げられる。現金管理装置に関する技術としては、様々な技術が開示されている（例えば、特許文献１参照）。
【先行技術文献】
【特許文献】
【０００３】
【特許文献１】特開２００８−２８７５５２号公報
【発明の概要】
【発明が解決しようとする課題】
【０００４】
しかしながら、現金管理装置に収納されている媒体処理ユニットを操作する作業者の作業状況をより正確に把握することが可能な技術が提供されるのが望ましい。
【課題を解決するための手段】
【０００５】
上記問題を解決するために、本発明のある観点によれば、媒体を処理する媒体処理ユニットが内部に収納された筐体と、前記媒体処理ユニットを操作する作業者を撮影することが可能なカメラを前記筐体に固定するための固定台と、を備える、現金管理装置が提供される。
【０００６】
前記固定台は、前記筐体に対して着脱可能に構成されてよい。
【０００７】
前記カメラは、前記固定台に対して着脱可能に構成されてよい。
【０００８】
前記固定台は、前記カメラによる撮影方向を所定の方向に固定するためのホルダ部を備えてよい。
【０００９】
前記現金管理装置は、前記カメラを前記固定台に取り付けるように促すガイダンスを表示部に表示させる制御部を備えてよい。
【００１０】
前記現金管理装置は、前記カメラが前記固定台に取り付けられた旨が検出された場合に、前記筐体に設けられた扉部を解錠する制御部を備えてよい。
【００１１】
前記現金管理装置は、前記カメラによる撮影時間が閾値を超えた場合に、その旨を所定の監視装置に通知する制御部を備えてよい。
【００１２】
前記現金管理装置は、前記カメラによる撮影によって得られた画像の解析結果が所定の状態を示す場合に、その旨を所定の監視装置に通知する制御部を備えてよい。
【００１３】
前記媒体処理ユニットは、紙幣処理ユニットおよび硬貨処理ユニットのうち、少なくとも何れか一つを含んでよい。
【００１４】
前記カメラは、撮影によって得られた静止画または動画を、記録媒体に記録するとともに所定の監視装置に送信してよい。
【発明の効果】
【００１５】
以上説明したように本発明によれば、現金管理装置に収納されている媒体処理ユニットを操作する作業者の作業状況をより正確に把握することが可能となる。
【図面の簡単な説明】
【００１６】
【図１】一般的な現金管理装置の外観を示す斜視図である。
【図２】本実施形態に係る現金管理装置の外観を示す斜視図である。
【図３】カメラの裏面側から見た斜視図である。
【図４】カメラの表面側上方から見た斜視図である。
【図５】カメラの表面側下方から見た斜視図である。
【図６】カメラの平面図である。
【図７】カメラの右側面図である。
【図８】固定台の表面側から見た斜視図である。
【図９】固定台の裏面側から見た斜視図である。
【図１０】固定台の正面図である。
【図１１】Ａ−Ａ線断面における固定台の断面図である。
【図１２】Ａ−Ａ線断面における固定台の部分斜視図である。
【図１３】固定台の底面側から見た斜視図である。
【図１４】固定台を筐体に取り付けるためのシートが設けられた現金管理装置の斜視図である。
【図１５】固定台に取り付けられたカメラを表面側から見た斜視図である。
【図１６】固定台に取り付けられたカメラを裏面側から見た斜視図である。
【図１７】現金管理装置の機能構成例を示す図である。
【図１８】紙幣処理ユニットの取り出し作業が行われている状況を示す図である。
【図１９】硬貨処理ユニットの取り出し作業が行われている状況を示す図である。
【図２０】紙幣処理ユニットの下部に対する作業が行われている状況を示す図である。
【発明を実施するための形態】
【００１７】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００１８】
また、本明細書および図面において、実質的に同一の機能構成を有する複数の構成要素を、同一の符号の後に異なるアルファベットまたは数字を付して区別する場合もある。ただし、実質的に同一の機能構成を有する複数の構成要素の各々を特に区別する必要がない場合、同一符号のみを付する。
【００１９】
まず、一般的な現金管理装置９０について説明する。図１は、一般的な現金管理装置９０の要部構成図である。まず、図１を参照しながら、一般的な現金管理装置９０の基本的な構成について説明する。以下においては、現金管理装置９０が金融機関、小売店、営業店などの受付窓口員などのオペレータによる操作に基づいて現金の取引を実行する職員操作型端末に適用される例を説明する。職員操作型端末は、金融機関の営業店などに設置される窓口用現金入出金機（ＴＣＲ：Ｔｅｌｌｅｒ  Ｃａｓｈ  Ｒｅｃｙｃｌｅｒ）であってよい。しかし、現金管理装置９０はかかる例に限定されない。
【００２０】
また、現金管理装置９０によって管理される現金は限定されず、硬貨であってもよいし、紙幣であってもよい。現金管理装置９０は、金融機関の営業店の受付奥のバックヤードなどに設置され得る。図１に示すように、現金管理装置９０は、表示部１５０、硬貨投入口１６１、硬貨リジェクト口１６２、硬貨排出口１６３，硬貨出金口１６４、紙幣入出金口１７１、紙幣リジェクト口１７２、把手部１７３、鍵穴１７４、扉部１７５、電源収納庫１８１および釣銭保管庫１８２を有する。
【００２１】
表示部１５０は、図示しない制御部による制御に従って各種の表示内容を表示する機能を有する。例えば、表示内容は、入金時または出金時に必要となる各種の操作を入力するための画面を含んでもよい。また、表示部１５０には、入金時または出金時に必要となる各種の操作を入力するための図示しない操作部（タッチパネルなど）が積層されていてもよい。
【００２２】
硬貨投入口１６１は、硬貨の投入を受け付ける機能を有する。硬貨リジェクト口１６２は、硬貨投入口１６１から投入された硬貨のうち、異常である硬貨を排出する機能を有する。硬貨排出口１６３は、硬貨投入口１６１から投入された硬貨のうち、入金がキャンセルされた硬貨を排出する機能を有する。硬貨出金口１６４は、現金管理装置９０に収納されている硬貨のうち、出金額として指定された額の硬貨を排出する機能を有する。
【００２３】
紙幣入出金口１７１は、入金時に紙幣の投入を受け付ける機能および出金時に紙幣の排出を行う機能を有する。紙幣リジェクト口１７２は、紙幣入出金口１７１から投入された紙幣のうち、異常である紙幣を排出する機能を有する。扉部１７５は、回動可能に構成されており、扉部１７５が開いた状態においては現金管理装置９０に収納されている図示しない媒体処理ユニットを引き出して操作を行うことが可能である。把手部１７３は、把持可能に構成されており扉部１７５を開くことを容易にする。
【００２４】
鍵穴１７４は、扉部１７５の施錠または解錠時に鍵が挿入される穴である。電源収納庫１８１は、現金管理装置９０の動作に必要となる電力を供給する電源を収納している。また、電源収納庫１８１は、現金管理装置９０が他の装置（例えば、サーバなど）と通信を行うためのモデムを収納していてもよい。釣銭保管庫１８２は、排出された紙幣または硬貨が取り出されずに所定時間放置されたときに、所定時間放置された紙幣または硬貨を取り込み、収納しておく機能を有する。
【００２５】
以上、図１を参照しながら、一般的な現金管理装置９０の基本的な機能について説明した。ここで、現金管理装置９０に収納されている図示しない媒体処理ユニットは、作業者によって操作されるが、かかる作業者の作業状況をより正確に把握することが望ましい。そこで、本明細書においては、かかる作業者の作業状況をより正確に把握することが可能な技術を主に提案する。
【００２６】
より具体的には、現金管理装置９０は、人通りの少ない金融機関の営業店の受付奥のバックヤードなどに設置されるのが一般的である。ここで、現金管理装置９０が設置される部屋の扉付近および現金管理装置９０の付近には防犯カメラが設置されるのが通例であり、営業店の外部から侵入者が侵入してきたとしても、防犯カメラによって侵入者が撮影されると考えられるため、営業店の外部からの侵入者に対するセキュリティは比較的保たれていると言える。
【００２７】
一方、現金管理装置９０に収納されている図示しない媒体処理ユニットに対する現金の回収作業および補充作業は、金融機関との契約相手である警備会社の隊員が行うのが一般的である。しかし、作業内容は、警備会社の隊員の報告によってのみ把握されているのが現状である。そのため、特に現金管理装置９０が高額な現金を扱う場合には、単独で作業を行う隊員が不正行為を働く気を起こすことは十分に想定されるが、隊員が防犯カメラの撮影範囲外において不正行為を働いた場合、その不正行為を証明することができない。
【００２８】
さらに、隊員が不正行為を働いていないにも関わらず問題が発生した場合、防犯カメラの撮影範囲に隊員が収まっていない場合には、隊員の無実を証明することができない。また、契約相手である警備会社の隊員の作業を記録するために、店内に防犯カメラをより多く設置することを警備会社から金融機関に依頼することは、警備会社への信用が低下することにもつながる可能性があるため、実現性が低いと言える。
【００２９】
以上に説明したような実情も考慮し、本明細書においては、店内に防犯カメラをより多く設置することを警備会社から金融機関に依頼する必要はなく、作業者の作業状況をより正確に把握することが可能な技術を主に提案する。なお、以下の説明において、上記した一般的な現金管理装置９０が有する構成と同様の構成に対しては、一般的な現金管理装置９０が有する構成に付された符号と同様の符号を付し、上記した一般的な現金管理装置９０が有する構成と同様の構成の詳細な説明を省略する。
【００３０】
図２は、本実施形態に係る現金管理装置１０の外観を示す斜視図である。図２を参照すると、本実施形態に係る現金管理装置１０は、作業者を撮影することが可能なカメラ３０を現金管理装置１０の筐体に固定するための固定台２０を備えている。かかる構成により、カメラ３０によって撮影された画像によって作業者の作業状況をより正確に把握することが可能となる。カメラ３０によって撮影される画像は、静止画であってもよいし、動画であってもよい。
【００３１】
例えば、固定台２０は、現金管理装置１０の筐体に対してあらかじめ固定されていてもよい。例えば、固定台２０が現金管理装置１０の筐体に対して固定されている場合、固定台２０は折り畳み可能であってもよい。しかし、現金管理装置１０の筐体に対して着脱可能に構成されているのがよい。かかる構成によれば、警備会社の隊員が作業前に固定台２０を自ら持参し、作業後に固定台２０を自ら持ち帰ればよいため、警備会社から金融機関への依頼内容を低減することができる。
【００３２】
なお、固定台２０は、警備会社において保管されてもよいし、釣銭保管庫１８２などに保管されてもよい。図２に示した例では、現金管理装置１０の筐体にプレート１９０が敷かれており、固定台２０はプレート１９０に取り付けられている。プレート１９０は現金管理装置１０の筐体に対して貼り付けられていてもよい。固定台２０の詳細な構成については後に説明する。
【００３３】
また、例えば、カメラ３０は、固定台２０に対してあらかじめ固定されていてもよいが、固定台２０に対して着脱可能に構成されているのがよい。かかる構成によれば、警備会社の隊員が作業前にカメラ３０を自ら持参して固定台２０に固定し、作業後に固定台２０からカメラ３０を取り外して自ら持ち帰ればよいため、警備会社から金融機関への依頼内容を低減することができる。
【００３４】
なお、カメラ３０は、警備会社において保管されてもよいし、釣銭保管庫１８２などに保管されてもよい。図２に示した例では、カメラ３０は固定台２０に取り付けられている。カメラ３０の詳細な構成については後に説明する。
【００３５】
続いて、カメラ３０の詳細な構成について説明する。図３は、カメラ３０の裏面側から見た斜視図である。図４は、カメラ３０の表面側上方から見た斜視図である。図５は、カメラ３０の表面側下方から見た斜視図である。図６は、カメラ３０の平面図である。図７は、カメラ３０の右側面図である。図４〜図７に示すように、カメラ３０は、レンズ３１を備えている。レンズ３１は、撮影範囲からの光をカメラ３０の内部に通過させ、カメラ３０の内部において撮像させる。
【００３６】
ここで、レンズ３１の画角Ｒ０は特に限定されない。例えば、図６および図７に示したように、レンズ３１は魚眼レンズによって構成され、レンズ３１の画角Ｒ０は、１８０度よりも大きな画角（例えば、１８５度など）であるとよい。そうすれば、撮影範囲を広範囲に設定することが可能となる。さらに、図３、図６および図７に示したように、カメラ３０は、撮影した画像を記録するための記録媒体３２を有してよい。そうすれば、記録媒体３２に記録された画像によって作業者の作業状況を確認することが可能となる。作業者は、自身の作業状況が確認されることを意識して作業を行うようになる。
【００３７】
また、カメラ３０は、撮影した画像を記録媒体３２に記録させるとともに所定の監視装置に送信してもよい。かかる構成によれば、監視装置に送信された画像によって作業者の作業状況を確認することが可能となる。作業者は、自身の作業状況が監視されることを意識して作業を行うようになる。また、記録媒体３２が破損した場合であっても、監視装置に送信された画像は残るため、作業者の作業状況を確認することが可能となる。
【００３８】
また、図３、図５および図７に示すように、カメラ３０は、雌ねじ３３を備えていてよい。雌ねじ３３は、固定台２０への取り付けに用いられる。なお、雌ねじ３３は、固定台２０への取り付けに用いられる取り付け部材の一例に過ぎないため、雌ねじ３３の代わりに他の取り付け部材が用いられてもよい。
【００３９】
続いて、固定台２０の詳細な構成について説明する。図８は、固定台２０の表面側から見た斜視図である。図９は、固定台２０の裏面側から見た斜視図である。図１０は、固定台２０の正面図である。図１１は、図１０に示したＡ−Ａ線断面における固定台２０の断面図である。図１２は、図１０に示したＡ−Ａ線断面における固定台２０の部分斜視図である。図１３は、固定台２０の底面側から見た斜視図である。
【００４０】
図９に示すように、固定台２０は、カメラ３０による撮影方向を所定の方向に固定するためのホルダ部２２を備えるとよい。そうすれば、作業者がカメラ３０による撮影方向を勝手に動かすことができないため、より確実に作業者の作業状況を確認することが可能となる。また、固定台２０がホルダ部２２を備えれば、不慣れな作業者であってもカメラ３０の撮影方向を固定できるため、監視のために撮影すべき作業者の作業状況および作業対象のユニットである紙幣処理ユニットＵ１，及び硬貨処理ユニットＵ２を適切に撮影することができる。図９に示した例では、固定台２０の上面に設置されるカメラ３０を固定するようにホルダ部２２が設けられているが、ホルダ部２２が設けられる位置は特に限定されない。
【００４１】
また、図９を参照すると、ホルダ部２２は、カメラ３０の側面を支持するための支持板２２ａ、支持板２２ｂおよび支持板２２ｃを含んでいる。ホルダ部２２にカメラ３０を取り付けた際に、この支持板２２ａ〜２２ｃがカメラ３０の側面を支持することで、カメラ３０の撮影方向を所定の方向に固定することができる。なお、ホルダ部２２は、カメラ３０の撮影方向を所定の方向に固定することができれば、支持板２２ａ、支持板２２ｂおよび支持板２２ｃのすべてを備えていなくてもよい。また、ホルダ部２２は、カメラ３０の側面以外の面（例えば、カメラ３０の上面など）を支持する支持板を有してもよい。例えば、ホルダ部２２は、容易に変形されないような材質（例えば、板金など）によって構成されているとよい。
【００４２】
また、図８に示したように、カメラ３０が固定台２０から滑り落ちることを防止する滑り止め板２１がホルダ部２２の上面に設けられてよい。滑り止め板２１は、ホルダ部２２に貼り付けられていてもよい。また、図９および図１１〜図１３に示したように、固定台２０は、雄ねじ２４を有してよい。雄ねじ２４がカメラ３０の雌ねじ３３に挿入されて所定の向きに回転されることによってカメラ３０が固定台２０に取り付けられる。
【００４３】
また、図１１および図１２に示すように、雄ねじ２４とホルダ部２２との間には、抜け止めワッシャ２５が設けられていてよい。そうすれば、図１１に示すように、雄ねじ２４の動きを範囲Ｄ１に制限し、雄ねじ２４がホルダ部２２から外れることを妨げることが可能となる。
【００４４】
図８に示したように、固定台２０は、ホルダ部２２が固定される固定部材２３を有してよい。ホルダ部２２は固定部材２３に溶接によって固定されてよい。図９に示したように、固定台２０は、固定部材２３の変形を妨げるため、固定部材２３の背面および底面には、補強部材２６ａおよび補強部材２６ｂを有しているとよい。固定部材２３と補強部材２６ａおよび補強部材２６ｂとは、溶接により締結されてよい。
【００４５】
また、図８および図１３に示すように、固定台２０は、雄ねじ２８を有してよい。雄ねじ２８が現金管理装置１０の筐体に敷かれたプレート１９０の雌ねじ１９２に挿入されて所定の向きに回転されることによって固定台２０が現金管理装置９０の筐体に取り付けられる。
【００４６】
また、図１３に示すように、雄ねじ２８と固定部材２３との間には、抜け止めワッシャ２７が設けられていてよい。そうすれば、雄ねじ２８の動きを制限し、雄ねじ２８が固定部材２３から外れることを妨げることが可能となる。図１３に示したように、固定台２０は、突出部２９ａおよび突出部２９ｂを有してよい。また、突出部２９ａが挿入される穴部１９１ａと突出部２９ｂが挿入される穴部１９１ｂとをプレート１９０に設けることによって、現金管理装置１０に対する固定台２０の向きおよび位置を決定しておくことができる。
【００４７】
図１５は、固定台２０に取り付けられたカメラ３０を表面側から見た斜視図である。図１６は、固定台２０に取り付けられたカメラ３０を裏面側から見た斜視図である。図１５および図１６に示されたようにして、カメラ３０が取り付けられた固定台２０が、現金管理装置１０の筐体に取り付けられる。なお、図１５および図１６に示した例では、カメラ３０の撮影範囲に作業者を収めるようにするため、カメラ３０の撮影方向が斜め下向きとなっているが、カメラ３０の撮影方向はかかる例に限定されない。
【００４８】
図１７は、現金管理装置１０の機能構成例を示す図である。図１７に示したように、現金管理装置１０は、制御部１１０、検出部１２０、通信部１３０、記憶部１４０および表示部１５０を備える。制御部１１０は、現金管理装置１０の動作全体を制御する機能を有する。例えば、制御部１１０は、検出部１２０によって検出された紙幣および硬貨、入力された操作などに応じた動作を制御する。
【００４９】
検出部１２０は、紙幣および硬貨を検出する機能と操作の入力を受け付ける機能とを有する。通信部１３０は、制御部１１０による制御に従って他の装置（例えば、サーバなど）と無線または有線によって通信を行う機能を有する。記憶部１４０は、制御部１１０によって使用される各種情報（例えば、プログラム、データなど）を記憶する機能を有する。表示部１５０は、制御部１１０による制御に従って各種の表示内容を表示する機能を有する。
【００５０】
続いて、現金管理装置１０の具体的な使用例について説明する。以下では、作業者が媒体処理ユニットの例として、紙幣処理ユニットおよび硬貨処理ユニットに対して操作を行う場合を例として説明する。なお、以下では、作業者によって操作される媒体処理ユニットが、紙幣処理ユニットおよび硬貨処理ユニットの双方を含む場合を説明するが、媒体処理ユニットは、紙幣処理ユニットおよび硬貨処理ユニットのうち、少なくとも何れか一つを含んでもよい。また、作業者は警備会社の隊員である場合を想定する。
【００５１】
図１８は、紙幣処理ユニットＵ１の取り出し作業が行われている状況を示す図である。まず、制御部１１０は、紙幣処理ユニットＵ１の取り出し作業がなされる前に、カメラ３０を固定台２０に取り付けるように促すガイダンスを表示部１５０に表示させるとよい。具体的には、紙幣処理ユニットＵ１を取り出すために扉部１７５の図示せぬ電子ロックを開錠する前に、カメラ３０を固定台２０に取り付けたことを作業者Ｋに確認させてから、電子ロックの開錠動作を行う。そうすれば、作業者Ｋは、表示されたガイダンスを閲覧することによって、作業前に忘れずにカメラ３０を固定台２０に取り付けることができるようになる。
【００５２】
具体的には、作業者Ｋは、カメラ３０を固定台２０に取り付ける作業を以下のように行う。まず、作業者Ｋは、現金管理装置１０の筐体に敷かれているプレート１９０の穴部１９１ａに固定台２０の突出部２９ａを合わせ、穴部１９１ｂに突出部２９ｂを合わせ、雄ねじ２８をプレート１９０の雌ねじ１９２に締め込むことによって、固定台２０を現金管理装置１０の筐体に固定する。続いて、作業者Ｋは、カメラ３０をホルダ部２２に乗せて雄ねじ２４を締め込むことによって、カメラ３０を固定台２０に固定する。
【００５３】
続いて、作業者Ｋがカメラ３０の電源を投入し、カメラ３０の撮影開始スイッチをオンにしてから、現金管理装置１０のモードを保守モードに切り替え、現金回収および現金補充の作業を開始する。作業者Ｋは、現金回収および現金補充の作業を開始するために、現金管理装置１０から紙幣処理ユニットＵ１を取り出すために扉部１７５を開く。
【００５４】
ここで、扉部１７５は、カメラ３０が固定台２０に取り付けられているか否かに関わらず開くことが可能であってもよいが、カメラ３０が固定台２０に取り付けられた後でなければ開くことができないようにされていてもよい。例えば、制御部１１０は、カメラ３０が固定台２０に取り付けられた旨が検出された場合に、扉部１７５を解錠するとよい。そうすれば、カメラ３０によって作業者Ｋの作業状況を撮影し損じる可能性を低減することが可能となる。
【００５５】
また、例えば、カメラ３０が固定台２０に取り付けられた旨は、カメラ３０または固定台２０に設けられた所定のスイッチが押されたことによって検出されてよい。そのとき、カメラ３０が固定台２０に取り付けられた旨は、現金管理装置１０の検出部１２０によって直接検出されてもよいし、現金管理装置１０の通信部１３０によってカメラ３０から有線または無線によって受信されてもよい。
【００５６】
図１８に示された例では、作業者Ｋが立ち上がった状態で紙幣処理ユニットＵ１を取り出しているが、固定台２０にカメラ３０が取り付けられた状態においては、カメラ３０の撮影範囲Ａ０に作業対象である紙幣処理ユニットＵ１と、作業者Ｋの作業状況が収まっている。図１８を参照すると、カメラ３０によって撮影範囲Ａ０が撮影された結果としての画像Ｇ１には、作業対象である紙幣処理ユニットＵ１と、立ち上がった状態の作業者Ｋの作業状況が映っていることが把握される。
【００５７】
ここで、作業者Ｋが不審な動きを示した場合には、制御部１１０は、その旨を所定の監視装置に通知してもよい。例えば、制御部１１０は、カメラ３０による撮影時間が閾値を超えた場合に、その旨を所定の監視装置に通知してもよい。撮影時間が閾値を超えた場合には、作業者Ｋが不審な動きをした可能性があるからである。
【００５８】
撮影時間と閾値との比較は、現金管理装置１０の制御部１１０によって行われてもよい。かかる場合、カメラ３０による撮影時間は、カメラ３０によって計測されて所定の時間ごとに現金管理装置１０に通知されてよい。また、撮影時間と閾値との比較は、カメラ３０によって行われてもよい。かかる場合、カメラ３０による撮影時間が閾値を超えた旨がカメラ３０から現金管理装置１０に送信されてよい。
【００５９】
また、例えば、制御部１１０は、カメラ３０による撮影によって得られた画像の解析結果が所定の状態を示す場合に、その旨を所定の監視装置に通知してもよい。例えば、画像の解析は制御部１１０によって行われればよい。所定の状態は特に限定されないが、画像Ｇ１から紙幣処理ユニットＵ１が消失した状態であってもよいし、紙幣処理ユニットＵ１から紙幣が抜き取られた状態であってもよい。あるいは、所定の状態は、犯罪に使用される所定の装置（例えば、スキミングに使用される装置など）が紙幣処理ユニットＵ１に取り付けられた状態であってもよい。
【００６０】
作業者Ｋにとっては自身がどのようにカメラ３０によって撮影されているかを把握できないほうがよい。したがって、カメラ３０によって撮影された画像Ｇ１は、表示部１５０には表示されないようにするのがよい。また、カメラ３０によって撮影された画像Ｇ１が記録された記録媒体３２は、カメラ３０から容易に取り出せないようにされているのがよい。例えば、カメラ３０から記録媒体３２を取り出すためには、作業者Ｋが把握していないパスワードの入力が必要であるとよい。
【００６１】
作業者Ｋは、作業が終わった後は、カメラ３０および固定台２０を取り付け時とは逆手順によって取り外せばよい。作業者Ｋは、現金回収用のケースおよび現金補充用のケースとともにカメラ３０および固定台２０を規定時間内に警備会社に持ち帰るように決められているとよい。そうすれば、作業者Ｋが、固定台２０、カメラ３０、現金回収用のケースおよび現金補充用のケースに不審な細工を施すことが妨げられる。
【００６２】
図１９は、硬貨処理ユニットＵ２の取り出し作業が行われている状況を示す図である。まず、制御部１１０は、紙幣処理ユニットＵ１の取り出し作業前と同様に、硬貨処理ユニットＵ２の取り出し作業がなされる前に、カメラ３０を固定台２０に取り付けるように促すガイダンスを表示部１５０に表示させるとよい。具体的には、硬貨処理ユニットＵ２を取り出すために扉部１７５の図示せぬ電子ロックを開錠する前に、カメラ３０を固定台２０に取り付けたことを作業者Ｋに確認させてから、電子ロックの開錠動作を行う。そうすれば、作業者Ｋは、表示されたガイダンスを閲覧することによって、作業前に忘れずにカメラ３０を固定台２０に取り付けることができるようになる。
【００６３】
カメラ３０を固定台２０に取り付ける作業は、紙幣処理ユニットＵ１の取り出し作業時と同様に行われてよい。図１９に示された例では、作業者Ｋがしゃがんだ状態で硬貨処理ユニットＵ２を取り出しているが、固定台２０にカメラ３０が取り付けられた状態においては、カメラ３０の撮影範囲Ａ０に作業対象である硬貨処理ユニットＵ２と、作業者Ｋの作業状況が収まっている。図１９を参照すると、カメラ３０によって撮影範囲Ａ０が撮影された結果としての画像Ｇ２には、作業対象である硬貨処理ユニットＵ２としゃがんだ状態の作業者Ｋの作業状況が映っていることが把握される。
【００６４】
ここで、作業者Ｋが不審な動きを示した場合には、紙幣処理ユニットＵ１の取り出し作業時と同様に、制御部１１０は、その旨を所定の監視装置に通知してもよい。また、作業者Ｋは、作業が終わった後は、紙幣処理ユニットＵ１の取り出し作業時と同様に、カメラ３０および固定台２０を取り付け時とは逆手順によって取り外せばよい。
【００６５】
図２０は、紙幣処理ユニットＵ１の下部に対する作業が行われている状況を示す図である。図２０に示された例では、作業者Ｋが膝を床に付けた状態で紙幣処理ユニットＵ１の下部に対して作業を行っているが、固定台２０にカメラ３０が取り付けられた状態においては、カメラ３０の撮影範囲Ａ０に作業対象である紙幣処理ユニットＵ１と、作業者Ｋの作業状況が収まっている。図２０を参照すると、カメラ３０によって撮影範囲Ａ０が撮影された結果としての画像Ｇ３には、作業対象である紙幣処理ユニットＵ１と、膝を床に付けた状態の作業者Ｋの作業状況が映っていることが把握される。
【００６６】
以上に説明したように、本実施形態によれば、作業者Ｋを撮影することが可能なカメラ３０を現金管理装置１０の筐体に固定するための固定台２０を備える現金管理装置１０が提供される。かかる構成によれば、店内に防犯カメラをより多く設置することを警備会社から金融機関に依頼する必要はなく、作業者Ｋの作業状況をより正確に把握することが可能となる。
【００６７】
また、本実施形態によれば、作業者Ｋが防犯カメラの撮影範囲外において不正行為を働いた場合、その不正行為を証明することが可能となる。さらに、本実施形態によれば、作業者Ｋが不正行為を働いていないにも関わらず問題が発生した場合、防犯カメラの撮影範囲に隊員が収まっていない場合であっても、カメラ３０によって撮影された画像に作業者Ｋが映るため、作業者Ｋの無実を証明することができる。
【００６８】
また、本実施形態によれば、契約相手である警備会社の隊員の作業を記録するために、店内に防犯カメラをより多く設置することを警備会社から金融機関に依頼しなくて済む。したがって、本実施形態によれば、警備会社への信用が低下させる可能性を低減することが可能となる。
【００６９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００７０】
例えば、上記においては、現金管理装置１０が金融機関、小売店、営業店などの受付窓口員などのオペレータによる操作に基づいて現金の取引を実行する職員操作型端末に適用される例を説明した。しかし、現金管理装置１０はかかる例に限定されない。例えば、現金管理装置１０は、紙幣を還流させる（リサイクルさせる）タイプのＡＴＭに代表される顧客操作型端末であってよい。また、顧客操作型端末は、銀行、駅構内およびコンビニエンスストアなど、多様な場所に設置され得る。
【００７１】
また、例えば、現金管理装置１０の動作全体を制御するための制御部１１０は、専用のハードウェアによって構成されてもよいし、現金管理装置１０に内蔵されたＣＰＵがＲＯＭに記憶されたプログラムをＲＡＭに展開して実行することにより実現されてもよい。かかるプログラムが提供され得る他、かかるプログラムを記憶させた記憶媒体も提供され得る。
【符号の説明】
【００７２】
１０    現金管理装置
１１０  制御部
１２０  検出部
１３０  通信部
１４０  記憶部
１５０  表示部
１６１  硬貨投入口
１６２  硬貨リジェクト口
１６３  硬貨排出口
１６４  硬貨出金口
１７１  紙幣入出金口
１７２  紙幣リジェクト口
１７３  把手部
１７４  鍵穴
１７５  扉部
１８１  電源収納庫
１８２  釣銭保管庫
１９０  プレート
１９１ａ  穴部
１９１ｂ  穴部
２０    固定台
２１    滑り止め板
２２    ホルダ部
２２ａ  支持板
２２ｂ  支持板
２２ｃ  支持板
２３    固定部材
２５    抜け止めワッシャ
２６ａ  補強部材
２６ｂ  補強部材
２７    抜け止めワッシャ
２９ａ  突出部
２９ｂ  突出部
３０    カメラ
３１    レンズ
３２    記録媒体
Ｕ１    紙幣処理ユニット
Ｕ２    硬貨処理ユニット
【図１】
2015228157.tif 000003
【図２】
2015228157.tif 000004
【図３】
2015228157.tif 000005
【図４】
2015228157.tif 000006
【図５】
2015228157.tif 000007
【図６】
2015228157.tif 000008
【図７】
2015228157.tif 000009
【図８】
2015228157.tif 000010
【図９】
2015228157.tif 000011
【図１０】
2015228157.tif 000012
【図１１】
2015228157.tif 000013
【図１２】
2015228157.tif 000014
【図１３】
2015228157.tif 000015
【図１４】
2015228157.tif 000016
【図１５】
2015228157.tif 000017
【図１６】
2015228157.tif 000018
【図１７】
2015228157.tif 000019
【図１８】
2015228157.tif 000020
【図１９】
2015228157.tif 000021
【図２０】
2015228157.tif 000022